(57)【要約】【課題】生体情報に異常が発生したことを報知する警報の見逃しを確実に防止することができる生体情報表示装置を提供する。【解決手段】測定中の生体情報に異常が発生したとき、測定中の生体情報が表示されている測定中表示画面２１上に、異常の生体情報が表示される異常表示画面２２を重ねて表示する。異常表示画面２２の表示内容には、異常を警報する旨、異常時点の生体情報、異常生体情報に関連する生体情報を含む。表示された異常表示画面２２および異常表示内容は、生体情報の異常が解消されても、継続して表示され続ける。【選択図】図１
2014094085.tif 000002
【特許請求の範囲】
【請求項１】
測定中の生体情報が表示される測定中表示画面と生体情報の異常が表示される異常表示画面とを含み、表示画面に生体情報を表示する表示部と、
予め設定された警報条件に基づいて、前記異常表示画面を前記測定中表示画面の上に重ねて表示するように前記表示部の表示を制御する表示制御部と、
を備え、
前記表示部は、前記異常表示画面に表示する表示内容に、異常を警報する旨と、異常時点の生体情報を含み、
前記表示制御部は、前記異常表示画面が表示された場合、前記生体情報の異常が解消されても、前記異常表示画面に表示した前記異常を警報する旨と異常時点の生体情報とを表示し続けるように前記表示部の表示を制御することを特徴とする生体情報表示装置。
【請求項２】
前記表示制御部は、前記異常表示画面が表示された場合、外部操作によって確認処理が実行されるまで、前記異常表示画面に表示した前記異常を警報する旨と異常時点の生体情報とを表示し続けるように前記表示部の表示を制御することを特徴とする請求項１に記載の生体情報表示装置。
【請求項３】
測定される生体情報には複数種類の測定項目が含まれており、
前記表示制御部は、警報された生体情報に加えて、警報された生体情報に関連する生体情報を前記異常表示画面に表示することを特徴とする請求項１または２に記載の生体情報表示装置。
【請求項４】
前記異常表示画面に表示する警報された生体情報および警報された生体情報に関連する生体情報には、波形によって表示される生体情報と数値によって表示される生体情報が含まれることを特徴とする請求項３に記載の生体情報表示装置。
【請求項５】
前記異常表示画面に表示する警報された生体情報は、心電図波形であり、当該心電図波形に関連する生体情報には、少なくとも観血血圧波形が含まれることを特徴とする請求項３または４に記載の生体情報表示装置。
【請求項６】
前記測定中表示画面の一部の表示画面領域上に前記異常表示画面を重ねて表示することを特徴とする請求項１から５のいずれか一項に記載の生体情報表示装置。
【請求項７】
請求項１から請求項６のいずれか一項に記載の生体情報表示装置を複数台備え、当該複数台の生体情報表示装置が互いにネットワーク接続され、各生体情報表示装置によって表示された生体情報が前記ネットワーク接続されている他の生体情報表示装置においても表示可能な構成としたことを特徴とする生体情報表示システム。
【発明の詳細な説明】
【技術分野】
【０００１】
本発明は、被検者から検出した生体情報を表示画面に表示するための生体情報表示装置、および生体情報表示システムに関するものである。
【背景技術】
【０００２】
従来から、被検者の生体情報を収集し、収集した生体情報を表示する装置は提案されている。例えば、下記の特許文献１には、患者の生体信号波形を警報時に破線表示することによって警報状態を監視者に明確に促すようにしたメモリモニタが開示されている。このメモリモニタによれば、複数人の患者の生体信号波形を陰極線管に表示し、警報状態の生体情報が生じた場合、その警報状態が生じた患者の生体信号波形のみを破線表示する。これにより警報状態を監視者に明確に促すことができ、装置パネル上の警報ランプ又は警報ブザーが不要となり患者監視において有効となるというものである。
【０００３】
また、下記の特許文献２には、患者の病態や症状に応じ医師の指示内容に沿ったアラーム値の設定および告知を表現することができる患者監視システムが開示されている。この患者監視システムによれば、判定条件の範囲を逸脱した時にアラーム告知を行い、さらにアラーム告知に対して適切な処置を行えるよう表示部に「ドクターコール」、「投薬」等の処置表示を行う。また、アラーム発生時の監視情報である観測波形も表示画面に表示することにより、アラーム誤認識を避けるとともにアラーム発生時の処置を迅速かつ的確に行おうというものである。
【先行技術文献】
【特許文献】
【０００４】
【特許文献１】実公昭５６−０４６７２８号公報
【特許文献２】特開平１１−２９０２８２号公報
【発明の概要】
【発明が解決しようとする課題】
【０００５】
しかしながら、特許文献１に開示されたメモリモニタの構成では、警報時においてその患者の生体信号波形を破線表示するものの、生体信号波形が異常な警報状態から回復するとその表示態様は破線表示から通常の表示態様に戻ってしまう。そのため、監視者が警報時にメモリモニタの表示部を見逃してしまった場合には、過去に警報があったことを認識することが困難であり、異常状態の発生に対して適切な処置を施すことができない虞があった。また、過去の警報が、アーチファクトが混入したことによるものなのか否か、瞬時に判断することが困難であるという問題があった。
【０００６】
また、特許文献２に開示された患者監視システムの構成では、アラーム告知に対する処置内容および監視情報が表示される表示部は、各患者を監視する装置から計測データが伝送されたデータ処理部の表示部（患者を監視する装置から離れた位置の表示部）である。この表示部にはアラーム告知時の監視情報は表示されるが、測定中の監視情報あるいはアラーム告知された監視情報に関連する監視情報は表示されない。そのため、患者のもとでアラーム告知の要因となる監視情報を確認することができない他、監視情報の対比判断をすることもできないので、予め医師によって指示記憶しておいた処置（「ドクターコール」、「投薬」等）に関しては可能であるが、さらなるその他の適切な処置を迅速に行うことは困難であった。
【０００７】
そこで、本発明は、このような課題を鑑みてなされたものであり、過去に発せられた警報の見逃しを確実に防止するとともに、過去の警報がアーチファクトの混入等による過誤の警報であったのか否かを迅速に判断することができる生体情報表示装置および生体情報表示システムの提供を目的とするものである。
【課題を解決するための手段】
【０００８】
上記課題を解決するために、本発明の生体情報表示装置は、測定中の生体情報が表示される測定中表示画面と生体情報の異常が表示される異常表示画面とを含み、表示画面に生体情報を表示する表示部と、
予め設定された警報条件に基づいて、前記異常表示画面を前記測定中表示画面の上に重ねて表示するように前記表示部の表示を制御する表示制御部と、
を備え、
前記表示部は、前記異常表示画面に表示する表示内容に、異常を警報する旨と、異常時点の生体情報を含み、
前記表示制御部は、前記異常表示画面が表示された場合、前記生体情報の異常が解消されても、前記異常表示画面に表示した前記異常を警報する旨と異常時点の生体情報を表示し続けるように前記表示部の表示を制御することを特徴とするものである。
【０００９】
また、上記の生体情報表示装置において、前記表示制御部は、前記異常表示画面が表示された場合、外部操作によって確認処理が実行されるまで、前記異常表示画面に表示した前記異常を警報する旨と異常時点の生体情報を表示し続けるように前記表示部の表示を制御することが好ましい。
【００１０】
また、上記の生体情報表示装置において、測定される生体情報には複数種類の測定項目が含まれており、
前記表示制御部は、警報された生体情報に加えて、警報された生体情報に関連する生体情報を前記異常表示画面に表示することが好ましい。
【００１１】
また、上記の生体情報表示装置において、前記異常表示画面に表示する警報された生体情報および警報された生体情報に関連する生体情報には、波形によって表示される生体情報と数値によって表示される生体情報が含まれることが好ましい。
【００１２】
また、上記の生体情報表示装置において、前記異常表示画面に表示する警報された生体情報は、心電図波形であり、当該心電図波形に関連する生体情報には、少なくとも観血血圧波形が含まれることが好ましい。
【００１３】
また、上記の生体情報表示装置は、前記測定中表示画面の一部の表示画面領域上に前記異常表示画面を重ねて表示することが好ましい。
【００１４】
また、本発明の生体情報表示システムは、上記の生体情報表示装置を複数台備え、当該複数台の生体情報表示装置が互いにネットワーク接続され、各生体情報表示装置によって表示された生体情報が前記ネットワーク接続されている他の生体情報表示装置においても表示可能な構成としたことを特徴とするものである。
【発明の効果】
【００１５】
本発明によれば、過去に発せられた異常発生の警報の見逃しを確実に防止するとともに、警報の内容を正確に把握し迅速な処置を施すことが可能となる。
【図面の簡単な説明】
【００１６】
【図１】本発明に係る生体情報表示装置の構成を示すブロック図である。
【図２】測定中表示画面上に表示する異常表示画面の生体情報の具体例を示す図である。
【図３】測定中表示画面上に表示する異常表示画面の生体情報の具体例を示す図である。
【図４】測定中表示画面上に表示する異常表示画面の生体情報の具体例を示す図である。
【図５】（ａ）、（ｂ）、（ｃ）は、異常表示画面に表示する生体情報の具体的な組合せ例を示す図である。
【図６】（ａ）、（ｂ）、（ｃ）は、異常表示画面に表示する生体情報の具体的な組合せ例を示す図である。
【図７】（ａ）、（ｂ）は、異常表示画面に表示する生体情報の具体的な組合せ例を示す図である。
【図８】（ａ）、（ｂ）、（ｃ）は、本発明に係る生体情報表示システムの具体例を示す構成図である。
【発明を実施するための形態】
【００１７】
以下、本発明に係る生体情報表示装置および生体情報表示システムの実施形態を添付図面に基づいて説明する。
図１は、生体情報表示装置の一形態を示すものである。生体情報表示装置１は、被検者毎に使用される表示装置であり、いわゆるベッドサイドモニタのことをいう。生体情報表示装置１には、心電信号、血圧値、血中酸素飽和度、吸気酸素濃度、体温、呼気二酸化炭素濃度、呼吸状態等の生体情報を測定するためセンサ、プローブ等の生体情報取得手段２が接続される。具体的な生体情報取得手段２としては、心電信号を検出する心電電極、非観血血圧値を検出する圧力センサ、血中酸素飽和度および脈波を検出するＳＰＯ２プローブ、吸気酸素濃度を検出する酸素センサ、体温を検出するサーミスタ、呼気二酸化炭素濃度を検出する二酸化炭素センサ、呼吸を検出するサーミスタ等のセンサ類を挙げることができる。これら生体情報取得手段２が被検者に装着され、生体情報取得手段２によって取得された生体情報が生体情報表示装置１に入力される。
【００１８】
生体情報表示装置１は、当該装置の動作を制御する制御部１０と、測定した生体情報を表示する表示部２０と、生体情報に関する設定値を入力する入力操作部３０を備えている。上記生体情報取得手段２によって取得された生体信号は、生体情報表示装置１の制御部１０に入力される。
【００１９】
制御部１０は、生体情報取得手段２および入力操作部３０からの情報に基づいて生体情報表示装置１の各部の動作を制御するものであり、ＣＰＵ（Central Processing Unit）１１を主構成部にしている。ＣＰＵ１１にはハードディスク、電子メモリ等の記憶手段が接続されている。ＣＰＵ１１は、記憶手段１４に記憶されているプログラムに従って各種の数値計算、情報処理、および動作制御を実行しており、比較手段１２、表示制御手段１３、および生体情報演算手段１７の機能を有している。
【００２０】
生体情報演算手段１７は、生体情報取得手段２から入力された各生体信号にそれぞれ所定の演算処理を施して、それぞれ生体情報として出力するものである。
【００２１】
比較手段１２は、生体情報演算手段１７で演算処理された各生体情報と、予め設定された各生体情報の閾値との比較処理を行なっている。ここでいう生体情報の閾値とは、医療従事者等が設定した、その被検者にとって許容し得る生体情報のバラツキの最大値（許容範囲）を示す値だけではなく、前記許容範囲内に限らず独自に設定した値なども含む。この独自に設定した値とは、例えば、被検者の生体情報が所定の値を超えた回数、時間等を調べる場合などに、医療従事者が設定することができる値などである。また比較処理は、各生体情報の値そのもの（例えば心拍数や血圧値など）のみならず、生体情報そのものの異常判定のために波形の形状等の比較も行う。波形の形状比較は、例えば心電図波形を基本波形と比較して、近似しているかどうかによって不整脈か否かを判定する。比較手段１２は、測定中の生体情報が閾値を上回っている（または下回っている）か否か、あるいは基本波形と比較して近似しているか否か、すなわち不整脈か否かの比較処理を常時行なっており、異常値の発生・検出時点および警報の報知タイミングを判定している。なお、上記の比較処理においては生体情報の異常のほかに、電極外れ等（波形が検出できない異常）も判定される。
【００２２】
表示制御手段１３は、生体情報取得手段２によって測定され生体情報演算手段１７で演算処理されている生体情報（測定中の生体情報）をリアルタイムで表示部２０に表示させるほか、生体情報取得手段２によって生体情報が取得された際に異常が発生したことを表示部２０に表示させる制御処理を行なっている。表示制御手段１３は、生体情報演算手段１７から測定中の生体情報が送信されてくると、当該測定中生体情報を表示すべき旨の制御信号を表示部２０に対して送信する。また、表示制御手段１３は、比較手段１２による比較処理の結果、測定された生体情報が異常であると判断された場合（警報条件を満たす場合）に、生体情報に異常が発生したことを表示すべき旨の制御信号を表示部２０に対して送信する。なお、表示制御手段１３は、本発明の特許請求の範囲の表示制御部の一例である。
【００２３】
生体情報に異常が発生したことは、例えば、異常を警報する旨を視覚的に又は聴覚的に表示したり、異常が発生した時点の生体情報を表示することによって報知することができる。具体的には、異常を警報する旨の表示として、「生体情報警報」等の警報文字（メッセージ）表示によるもの、あるいは警報図形の表示によるもの等、視覚的に容易に認識できる態様の表示によって報知することができる。また、異常が発生した時点の生体情報の表示としては、異常と判断された生体情報の異常時の測定波形（異常波形）または測定数値（異常数値）の表示によるもの、あるいは異常波形（異常数値）に加えて異常と判断された生体情報に関連する生体情報の異常発生時の測定波形または測定数値の表示によるもの等で報知することができる。測定波形とは、例えば、心電図波形、血圧波形、脈波、呼吸波形等のことをいい、測定数値とは、例えば、心拍数、血圧値、血中酸素飽和度、体温、呼吸数、呼気二酸化炭素濃度、吸気酸素濃度等のことをいう。
【００２４】
記憶手段１４は、上述のプログラムが記憶されている他、各生体情報取得手段２によって取得され生体情報演算手段１７で演算処理された生体情報、予め設定された各生体情報の閾値、異常発生時の生体情報、異常発生時に表示部２０の表示画面に表示されるメッセージ等を記憶・保持している。記憶・保持される生体情報の項目としては、例えば、心電図波形、脈波波形、観血血圧波形、呼吸波形等の波形生体情報、あるいは心拍数、脈拍数、血圧値、酸素飽和度、二酸化炭素濃度、呼吸数、体温等の数値生体情報を挙げることができる。
【００２５】
表示部２０は、表示制御手段１３からの制御信号に基づいて表示画面に生体情報を表示する。表示部２０には、生体情報取得手段２によって測定されている生体情報をリアルタイムで表示するための測定中表示画面２１と、測定されている生体情報に異常が発生したとき（警報条件を満たすとき）などに異常が発生したことを表示するための異常表示画面２２が設けられている。異常表示画面２２は、生体情報に異常が発生したときに測定中表示画面２１上に表示される画面であるため、例えば、生体情報の異常発生時にポップアップ表示するようにしてもよい。
【００２６】
また、異常表示画面２２は、当該画面に表示される生体情報（異常波形、異常数値等）と測定中表示画面２１に表示されている測定中の生体波形あるいは数値とを容易に比較できるように表示することが望ましい。したがって、異常表示画面２２は、測定中表示画面２１の一部の表示画面領域上に重ねて表示することが望ましい。さらに、異常表示画面２２は、測定中表示画面２１に表示されている生体波形あるいは数値の中の比較対象となる生体波形あるいは数値を覆い隠さない位置に表示することが望ましい。また、測定中の生体波形あるいは数値と、より比較し易くするために、異常表示画面２２の位置をドラッグ移動できるようにしてもよい。異常表示画面２２および当該画面に表示された生体情報等（異常発生を警報する旨、異常発生時の検出異常波形、異常波形に関連する波形等）は、当該異常が解消しても消去されず、外部操作によって確認処理作業が実行されるまで継続して表示される。
【００２７】
入力操作部３０は、キーボード、マウス、タッチパネル、あるいは携帯通信端末等により構成される。入力操作部３０は、制御部１０に接続されており、入力操作することによって各生体情報の閾値、異常発生時に異常表示画面２２に表示されるメッセージ内容、異常発生時に異常表示画面２２に表示される測定波形または測定数値等の種類を設定することができる。
【００２８】
このような構成において、比較手段１２が測定生体情報に異常が発生したと判定すると、表示制御手段１３は、表示部２０に異常表示画面２２を表示させるとともに表示させた異常表示画面２２を、当該異常が解消しても消去せず、医療従事者の外部操作による異常表示画面確認処理が実行されるまで、継続して表示し続けるように表示部２０を表示制御する。したがって、異常表示画面２２に表示された異常を警報する旨および異常時点の生体情報も確認処理が実行されるまで継続して表示され続けることになる。
【００２９】
異常表示画面２２を消去する具体的な処理としては、異常発生の見落とし、見過ごし、および見逃し等を確実に防止するために、複数段階に及ぶ処理内容とすることが好ましい。例えば、先ず、警報を確認したことを表す警報確認ボタンの押下作業を行う。続いて、画面に表示されたメッセージ内容および画面に表示された異常発生時の測定波形等の内容を確認したことを表す内容確認ボタンの押下作業を行う。さらに、内容確認の結果、異常表示画面２２を消去してもよいと判断したことを表す消去確認ボタンの押下作業を行う。表示制御手段１３は、このような三段階の処理が順次実行されたときに警報内容の解析が終了したとみなして異常表示画面２２を消去するようにしてもよい。
【００３０】
異常表示画面２２は、特定の異常についてのみ表示するようにしてもよい。特定の異常とは、優先度（重篤度合い等）の高い異常、特定の症状・臓器に関する異常（心臓に関する異常等）、特定のパラメータ（心電図等）に関する異常などがある。なお、テクニカルアラームを含む全ての異常は、測定中表示画面２１の上部（図示しないが、例えば図２において警報図形４２の左側）に必ず表示される。この表示は異常内容を示すメッセージの警報のみで、原因がなくなれば自動的に消去される。
【００３１】
次に、表示部２０の画面に表示する生体情報の具体例を以下に示す。
図２から図４は、測定中表示画面２１の一部の表示画面領域上に異常表示画面２２を重ねて表示した状態を示している。表示部２０は、表示制御手段１３からの表示制御信号に基づいて、測定中表示画面２１および異常表示画面２２に生体情報を表示する。
【００３２】
具体例の一つとして、図２に示すように、表示部２０は、測定中表示画面２１に、被検者から測定中の心電図波形３１と、観血血圧波形３２と、脈波波形３３と、呼吸波形３４とを含む波形生体情報を表示している。また、表示部２０は、測定中表示画面２１に、心拍数３５と、観血血圧値３６と、非観血血圧値３７と、酸素飽和度３８と、体温３９と、呼吸数４０と、二酸化炭素濃度４１とを含む数値生体情報を表示している。また、測定中表示画面２１の右上部には、過去に生体情報に異常が発生したことを表示する警報図形４２を表示している。
【００３３】
また、表示部２０は、異常表示画面２２に、生体情報に異常が発生したことを警報する警報図形５１と、異常内容を示すメッセージ５２と、異常発生日時５３と、異常が検出された波形（ここでは心電図波形）５４を表示している。メッセージ５２を表示することで、心室性頻拍を要因として心電図に異常が生じたことを警報している。また、心室性頻拍状態となっている心電図波形５４を表示することで、心室期外収縮の発生回数および波形形状を容易に認識可能とし迅速な診断、処置を可能にしている。また、表示部２０は、異常表示画面２２を比較対象となる心電図波形３１に重ならない位置に表示している。比較対象となる波形とは、複数種類表示されている測定中の波形３１から３４の中の異常波形（ここでは心電図波形５４）と同種の波形のことをいう。なお、異常表示画面２２に表示する波形や数値等の項目は、医療従事者によって設定することもできる。
【００３４】
他の具体例として、図３に示すように、表示部２０は、図２と同様、測定中表示画面２１に、心電図波形３１と、観血血圧波形３２と、脈波波形３３と、呼吸波形３４とを含む波形生体情報、心拍数３５と、観血血圧値３６と、非観血血圧値３７と、酸素飽和度３８と、体温３９と、呼吸数４０と、二酸化炭素濃度４１とを含む数値生体情報、および警報図形４２を表示している。
【００３５】
また、表示部２０は、異常表示画面２２に、生体情報に異常が発生したことを警報する警報図形５１と、異常内容を示すメッセージ５２と、異常発生日時５３と、異常が検出された波形（ここでは心電図波形）５４と、心電図波形５４に関連する観血血圧波形５５を表示している。ここで表示されている観血血圧波形５５は、心電図波形に異常が検出された時点において取得された観血血圧波形である。
【００３６】
メッセージ５２を表示することで、心室性頻拍を要因として心電図に異常が生じたことを警報している。また、心室性頻拍状態となっている心電図波形５４を表示することで、心室期外収縮の発生回数および波形形状を容易に認識可能とし迅速な診断、処置を可能にしている。また、観血血圧波形５５を表示することで、心電図波形の異常発生がアーチファクトによるものであるか否かの判断を容易にしている。心室性頻拍が発生すると、心室から拍出される血液量が減少し、血圧の低下が起こりやすい。したがって、観血血圧波形は心電図波形に関連する波形（生体情報）であり、心電図異常発生時の観血血圧波形５５を観察することにより、心電図波形５４の異常が心室性頻拍５２に起因するものであるのか判断することができる。図３の例では、観血血圧波形５５から血圧の低下が起きていると認識できる。よって、図３の異常表示画面２２に表示する心電図波形５４の場合、血圧低下を伴う心電図変化が発生したと判断することができ、心電図波形５４の異常が心室性頻拍５２に起因するものであると診断できる。
【００３７】
他の具体例として、図４に示すように、表示部２０は、図２と同様、測定中表示画面２１に、心電図波形３１と、観血血圧波形３２と、脈波波形３３と、呼吸波形３４とを含む波形生体情報、心拍数３５と、観血血圧値３６と、非観血血圧値３７と、酸素飽和度３８と、体温３９と、呼吸数４０と、二酸化炭素濃度４１とを含む数値生体情報、および警報図形４２を表示している。
【００３８】
また、表示部２０は、図３と同様、異常表示画面２２に、警報図形５１と、メッセージ５２と、異常発生日時５３と、異常が検出された波形（ここでは心電図波形）５４と、心電図波形５４に関連する観血血圧波形５６を表示している。
【００３９】
メッセージ５２を表示することで、心室性頻拍を要因として心電図に異常が生じたことを警報している。また、心室性頻拍状態となっている心電図波形５４を表示することで、心室期外収縮の発生回数および波形形状を認識可能にしている。また、観血血圧波形５６を表示することで、心電図波形の異常発生がアーチファクトによるものであるか否かの判断を容易にしている。心室性頻拍が発生すると、心室から拍出される血液量が減少し、血圧の低下が起こりやすい。したがって、心電図異常発生時の観血血圧波形５６を観察することにより、心電図波形５４の異常が心室性頻拍５２に起因するものであるのか判断することができる。ここで、図４に示す観血血圧波形５６の場合、血圧の低下は起きていない。よって、図４に示す心電図波形５４は、血圧低下を伴わない心電図変化を生じていると判断することができる。また、心電図波形５４と観血血圧波形５６のリズムも相違しており、これらのことから心電図波形５４の異常は心室性頻拍５２に起因するものではなく、アーチファクトによるものかもしれないという判断も必要になる。
【００４０】
図５から図７に、表示部２０の異常表示画面２２に表示する生体情報の他の具体例を示す。
図５（ａ）は、制御部１０が、心電図の測定情報に異常が生じたことを検出し、心電図波形に関連する生体情報として血圧情報（循環）を選択し、これらの生体情報を異常表示画面２２に表示させた状態を示している。
【００４１】
表示部２０は、表示制御手段１３からの表示制御信号に基づいて、異常表示画面２２に、生体情報に異常が発生したことを警報する警報図形５１と、異常内容を示すメッセージ６１と、異常発生日時５３と、異常が検出された波形（ここでは心電図波形）６２と、心電図波形６２に関連する観血血圧波形６３と、異常が検出された時点の心拍数６４および血圧値６５を表示している。
【００４２】
メッセージ６１を表示することで、心室性頻拍を要因として心電図に異常が生じたことを警報している。また、心室期外収縮が発生して心室性頻拍状態となっている心電図波形６２を表示することで、心室期外収縮の発生回数および波形形状を容易に認識可能とし迅速な診断、処置を可能にしている。また、心電図波形の異常発生がアーチファクトによるものであるか否かの判断材料として観血血圧波形６３を表示している。心室性頻拍が発生すると、心室から拍出される血液量が減少し、血圧の低下が起こりやすい。したがって、心電図異常発生時の観血血圧波形６３を観察することにより、心電図波形６２の異常が心室性頻拍６１に起因するものであるのか判断することができる。観血血圧波形６３は、血圧の低下を起こしている。よって、心電図波形６２は、血圧低下を伴う心電図変化を発生したと判断することができ、心電図波形６２の異常が心室性頻拍６１に起因するものであると診断できる。さらに、異常が検出された時点の生体情報を数値情報（心拍数６４、血圧値６５）として添付表示することにより、異常発生を瞬時に認識することが可能になる。
【００４３】
図５（ｂ）は、制御部１０が、呼吸の測定情報に異常が生じたことを検出し、呼吸波形に関連する生体情報として心拍情報を選択し、これらの生体情報を異常表示画面２２に表示させた状態を示している。
【００４４】
表示部２０は、表示制御手段１３からの表示制御信号に基づいて、異常表示画面２２に、警報図形５１と、異常内容を示すメッセージ７１と、異常発生日時５３と、異常が検出された波形（ここでは呼吸波形）７２と、異常検出時点の二酸化炭素濃度７４と、呼吸波形７２に関連する心電図波形７３と、異常検出時点の心拍数７５を表示している。
【００４５】
図５（ｃ）は、制御部１０が、呼吸の測定情報に異常が生じたことを検出し、呼吸波形に関連する生体情報として血液酸素情報を選択し、これらの生体情報を異常表示画面２２に表示させた状態を示している。
【００４６】
表示部２０は、表示制御手段１３からの表示制御信号に基づいて、異常表示画面２２に、警報図形５１と、異常内容を示すメッセージ８１と、異常発生日時５３と、異常が検出された波形（ここでは呼吸波形）８２と、異常検出時点の呼吸数８４と、呼吸波形８２に関連する脈波波形８３と、異常検出時点の酸素飽和度８５を表示している。脈波波形８３は、血管に血液が流入することによって生じる容積変化を測定して取得される波形であり、血管運動や間接的に心臓活動状態を表す波形である。
【００４７】
メッセージ８１によって、呼吸異常が生じたことを警報している。また、呼吸（呼気と吸気）に乱れのある呼吸波形８２を表示することで、呼吸状態を容易に認識することができるとともに無呼吸に基づく酸素飽和度の低下を予測することができ、迅速な診断、処置を可能にしている。また、異常検出時の呼吸数を数値表示（呼吸数８４）することにより、呼吸数の低下を瞬時に認識することが可能になる。また、関連する生体情報として異常検出時の脈波波形８３と酸素飽和度８５を表示することで、呼吸数の低下によって起こりうる酸素飽和度の低下による呼吸不全症の可能性を認識することができると共に、脈波波形により、心拍上昇等の無呼吸が心臓活動へ与える影響の診断に役立てることが可能になる。この例では、呼吸数低下が酸素飽和度低下を伴っており、アーチファクトではなく実際に呼吸機能の低下が疑われる。
【００４８】
図６（ａ）は、制御部１０が、心電図のＳＴ部分に異常が生じたことを検出し、心電図波形に関連する生体情報として血圧情報（循環）を選択し、これらの生体情報を異常表示画面２２に表示させた状態を示している。
【００４９】
表示部２０は、表示制御手段１３からの表示制御信号に基づいて、異常表示画面２２に、警報図形５１と、異常内容を示すメッセージ９１と、異常発生日時５３と、異常が検出された波形（ここでは心電図波形）９２と、心電図波形９２に関連する観血血圧波形９３と、異常が検出された心電図波形９２の一部を切り出した波形９４と、異常が検出された時点の心拍数９５および血圧値９６を表示している。
【００５０】
図６（ｂ）は、制御部１０が、非観血血圧値に異常が生じたことを検出し、非観血血圧値に関連する生体情報として血圧情報を選択し、これらの生体情報を異常表示画面２２に表示させた状態を示している。
【００５１】
表示部２０は、表示制御手段１３からの表示制御信号に基づいて、異常表示画面２２に、警報図形５１と、異常内容を示すメッセージ１０１と、異常発生日時５３と、異常が検出された数値（ここでは非観血血圧値）１０２と、非観血血圧値１０２に関連する観血血圧波形１０３と、観血血圧値１０４を表示している。
【００５２】
図６（ｃ）は、制御部１０が、非観血血圧値に異常が生じたことを検出し、非観血血圧値に関連する生体情報として体温情報を選択し、これらの生体情報を異常表示画面２２に表示させた状態を示している。
【００５３】
表示部２０は、表示制御手段１３からの表示制御信号に基づいて、異常表示画面２２に、警報図形５１と、異常内容を示すメッセージ１１１と、異常発生日時５３と、異常が検出された数値（ここでは非観血血圧値）１１２と、非観血血圧値１１２に関連する体温１１３を数値表示している。
【００５４】
図７（ａ）は、制御部１０が、心電図の測定情報に異常が生じたことを検出し、心電図波形に関連する生体情報として血圧情報（循環）と血液酸素情報を選択し、これらの生体情報を異常表示画面２２に表示させた状態を示している。
【００５５】
表示部２０は、表示制御手段１３からの表示制御信号に基づいて、異常表示画面２２に、警報図形５１と、異常内容を示すメッセージ１２１と、異常発生日時５３と、異常が検出された波形（ここでは心電図波形）１２２と、心電図波形１２２に関連する観血血圧波形１２３および脈波１２４と、異常が検出された時点の心拍数１２５、観血血圧値１２６および酸素飽和度１２７を表示している。
【００５６】
メッセージ１２１を表示することで、心室性頻拍を要因として心電図に異常が生じたことを警報している。また、心室期外収縮が発生して心室性頻拍状態となっている心電図波形１２２を表示することで、心室期外収縮の発生回数および波形形状を容易に認識可能とし迅速な診断、処置を可能にしている。また、心電図波形の異常発生がアーチファクトによるものであるか否かの判断材料として観血血圧波形１２３を表示している。心室性頻拍が発生すると、心室から拍出される血液量が減少し血圧の低下が起こりやすい。したがって、心電図異常発生時の観血血圧波形１２３を観察することにより、心電図波形１２２の異常が心室性頻拍１２１に起因するものであるのか判断することができる。観血血圧波形１２３は、血圧の低下を起こしている。よって、心電図波形１２２は、血圧低下を伴う心電図変化が発生したと判断することができ、心電図波形１２２の異常が心室性頻拍１２１に起因するものであると診断できる。また、酸素飽和度は、呼吸不全症の可能性を検討する目安にすることができるため、酸素飽和度１２７を表示することによって、呼吸不全症の可能性を判断することができ、脈波波形１２４を表示することにより、心臓活動状態への影響を迅速に診断し、適切な処置を施すことができる。さらに、異常が検出された時点の生体情報を数値情報（心拍数１２５、観血血圧値１２６）として添付表示することにより、異常発生を迅速に認識することが可能になる。この例では、心室性頻拍に血圧低下および脈波の振幅低下を伴っているため、実際に心室機能が障害を起こす心室性不整脈が発生したと判断できる。
【００５７】
図７（ｂ）は、制御部１０が、心電図の測定情報に異常が生じたことを検出し、心電図波形に関連する生体情報として血圧情報（循環）と血液酸素情報を選択し、これらの生体情報を異常表示画面２２に表示させた状態を示している。
【００５８】
表示部２０は、表示制御手段１３からの表示制御信号に基づいて、異常表示画面２２に、警報図形５１と、異常内容を示すメッセージ１３１と、異常発生日時５３と、異常が検出された波形（ここでは心電図波形）１３２と、心電図波形１３２に関連する観血血圧波形１３３および脈波波形１３４と、異常が検出された時点の心拍数１３５、観血血圧値１３６および脈波値１３７を表示している。
【００５９】
メッセージ１３１を表示することで、心室性頻拍を要因として心電図に異常が生じたことを警報している。また、心室性頻拍状態となっている心電図波形１３２を表示することで、心室期外収縮の発生回数および波形形状を認識可能にしている。また、観血血圧波形１３３を表示することで、心電図波形の異常発生がアーチファクトによるものであるか否かの判断を可能にしている。心室性頻拍が発生すると、心室から拍出される血液量が減少し血圧の低下が起こりやすい。したがって、心電図異常発生時の観血血圧波形１３３を観察することにより、心電図波形１３２の異常が心室性頻拍１３１に起因するものであるのか判断することができる。ここで、観血血圧波形１３３の場合、血圧の低下は起きていない。よって、心電図波形１３２は、血圧低下を伴わない心電図変化を生じていると判断することができる。また、脈波波形１３４は、血管に血液が流入することによって生じる容積変化を示す波形であり、血管運動や、間接的に心臓活動状態を表す。この脈波波形１３４には異常が確認できない。また、観血血圧値１３６および脈波値１３７にも異常がない。さらに、心電図波形１３２のリズムと観血血圧波形１３３および脈波波形１３４とのリズムも相違しており、これらのことから心電図波形１３２の異常は心室性頻拍１３１に起因するものではなく、アーチファクトによるものであると判断できる。
【００６０】
続いて、図８の（ａ）から（ｃ）は、生体情報表示システムの実施形態を示すものである。なお、各形態において表示する生体情報表示装置(ベッドサイドモニタ)は、図１から図７に基づいて前述した生体情報表示装置１と同様の機能を有するものである。
【００６１】
図８（ａ）に示す生体情報表示システム１４０は、複数台の生体情報表示装置(ベッドサイドモニタ)を備えている。ベッドサイドモニタ１４１、１４２、１４３、１４４は、被検者のベッドサイドにそれぞれ設置されるものであり、各ベッドサイドモニタ１４１、１４２、１４３、１４４は、ネットワーク１４５によって接続され、データの通信を行えるようになっている。各ベッドサイドモニタの表示画面には、ネットワーク１４５を介して、他のベッドサイドモニタで測定した被検者の生体情報の波形や数値等を表示することができる。表示画面にどのベッドサイドモニタで測定した生体情報を表示させるかは、医療従事者等により指定することが可能である。ある被検者の生体情報に異常が発生した場合に、離れた場所のベッドサイドモニタ近くに居る医療従事者によってもその異常発生を認識できるように、異常発生に同期して各ベッドサイドモニタの表示画面上に、異常が発生した旨の警報（音、ランプ、メッセージ等）を表示するようにしてもよい。
【００６２】
図８（ｂ）に示す生体情報表示システム１５０は、複数台のベッドサイドモニタ１５１、１５２、１５３、１５４に加えて、さらにセントラルモニタ１５６がネットワーク１５５に接続されている。セントラルモニタ１５６は、ナースステーション、医師の控室等に設置されて、各被検者の生体情報を集中監視することができるモニタである。セントラルモニタ１５６には、各ベッドサイドモニタ１５１、１５２、１５３、１５４で測定した生体情報がネットワーク１５５を介して送信されてくる。送信された生体情報はセントラルモニタ１５６の記憶部に保持される。また、各ベッドサイドモニタ１５１、１５２、１５３、１５４によって測定された生体情報に異常が発生した場合には、図１から図７に基づいて前述した生体情報表示装置１と同様に、異常を警報する旨と異常時点の生体情報等がセントラルモニタ１５６の表示画面にも表示される。その他、セントラルモニタ１５６に表示される表示画面の種類、表示形態等についても生体情報表示装置１と同様であり、例えば、表示内容は、異常が解消しても消去されず、外部操作によって確認処理が実行されるまで表示される。
【００６３】
図８（ｃ）に示す生体情報表示システム１６０は、複数台のベッドサイドモニタ１６１、１６２、１６３、１６４に加えて、セントラルモニタ１６６とスマートフォン等の携帯通信端末１６７がネットワーク１６５に接続される。携帯通信端末１６７に対してもセントラルモニタ１６６と同様に、各ベッドサイドモニタ１６１、１６２、１６３、１６４で測定した生体情報がネットワーク１６５を介して送信されてくる。また、各ベッドサイドモニタ１６１、１６２、１６３、１６４によって測定された生体情報に異常が発生した場合には、図１から図７に基づいて前述した生体情報表示装置１と同様に、異常を警報する旨と異常時点の生体情報等が携帯通信端末１６７の表示画面にも表示される。その他、携帯通信端末１６７に表示される表示画面の種類、表示形態等も生体情報表示装置１と同様であり、例えば、表示内容は、異常が解消しても消去されず、外部操作によって確認処理が実行されるまで表示される。
【００６４】
本発明の生体情報表示装置、および生体情報表示システムは、以上のような構成を有することにより、以下の作用効果を有する。
測定中表示画面の画面上に異常表示画面を重ねて表示し、その表示内容には異常を警報する旨、異常時点の生体情報等を含み、さらに表示した異常表示画面を、異常が解消しても消去せず、外部操作によって確認処理の作業が実行されるまで表示し続けるので、過去に発せられた異常発生の警報の見逃しを確実に防止することができるほか、警報の内容の重要度を迅速に判断することができる。
【００６５】
また、測定される生体情報には複数種類の測定項目（心拍数、心電波形、血圧値、血中酸素飽和度、吸気酸素濃度、体温等の波形および数値データ）が含まれている。生体情報の異常を検出した際に、当該異常数値および異常波形を異常表示画面に表示することに加えて、当該生体情報の異常を引き起こす要因となり得る他の生体情報の数値および波形、あるいは当該生体情報の異常に伴って変化し得る他の生体情報の数値および波形、すなわち当該異常が発生した生体情報に関連する生体情報の数値および波形も異常表示画面に表示する。したがって、医療従事者は、被検者の様態を、必要な複数の生体情報に基づいて総合的に診断を行うことができるとともに、適切な治療を行うことができる。また、複数のパラメータの動態を観察することにより、異常発生がアーチファクトによるものであるか否かの判断を容易とし、瞬時に正確な診断を行うことができる。
【００６６】
異常表示画面は、制御部による異常検出に同期して表示され、さらにその表示された内容は確認処理作業を実行するまで表示され続けるので、医療従事者は、確認処理作業を実行しない限り異常表示画面の表示内容を何の画面操作も行わずに容易に確認することができ、異常発生の見逃しを確実に防止することができる。
【００６７】
生体情報表示システムを構成するベッドサイドモニタ、セントラルモニタ、スマートフォン等の携帯通信端末はネットワークによって接続されているので、医療従事者は、被検者から離れた場所に居ても、気になる被検者の生体情報を診ることができ、確実な判断および迅速な処置を施すことができる。
【００６８】
本発明は上記実施形態に例示したものに限定されるものではなく、本発明の要旨を逸脱しない範囲において適宜変更可能である。
【符号の説明】
【００６９】
１：生体情報表示装置、２：生体情報取得手段、１０：制御部、１１：ＣＰＵ、１２：比較手段、１３：表示制御手段、１４：記憶手段、２０：表示部、２１：測定中表示画面、２２：異常表示画面、３０：入力操作部、１４０、１５０、１６０：生体情報表示システム
【図１】
2014094085.tif 000003
【図２】
2014094085.tif 000004
【図３】
2014094085.tif 000005
【図４】
2014094085.tif 000006
【図５】
2014094085.tif 000007
【図６】
2014094085.tif 000008
【図７】
2014094085.tif 000009
【図８】
2014094085.tif 000010